(57)【要約】  撮像システム（１００）は、検査領域及びその中に配置された関心組織内の画像形成可能な薬剤溶出性ビーズを横断する放射線を放出する放射線源（１０８）と、検査領域を横断した放射線を検出し、それを指し示す信号を生成するスペクトル検出器アレイ（１１０）と、前記信号を複数の閾値に基づいてスペクトル分解するスペクトル処理回路（１１７）と、スペクトル分解された信号に基づいて、画像形成可能な薬剤溶出性ビーズに対応するスペクトルボリューム画像データを生成する再構成部（１２８）とを含む。
2015515874.tif 000002
【特許請求の範囲】
【請求項１】
検査領域及びその中に配置された関心組織内の画像形成可能な薬剤溶出性ビーズ、を横断する放射線を放出する放射線源と、
前記検査領域を横断した放射線を検出し、それを指し示す信号を生成するスペクトル検出器アレイと、
前記信号を複数の閾値に基づいてスペクトル分解するスペクトル処理回路と、
前記スペクトル分解された信号に基づいて、前記画像形成可能な薬剤溶出性ビーズに対応するスペクトルボリューム画像データを生成する再構成部と、
を有する撮像システム。
【請求項２】
当該撮像システムは更にディスプレイを有し、当該撮像システムは、前記ディスプレイを介して、前記画像形成可能な薬剤溶出性ビーズに対応する前記スペクトル画像データを表示する、請求項１に記載の撮像システム。
【請求項３】
前記再構成部は、前記信号に基づいてコンベンショナル画像データを生成し、当該撮像システムは、前記スペクトル画像データを上に重ねて前記コンベンショナル画像データを表示する、請求項２に記載の撮像システム。
【請求項４】
前記スペクトル画像データにおいて、前記コンベンショナル画像データにおいてよりも、前記画像形成可能な薬剤溶出性ビーズの顕著性が高い、請求項３に記載の撮像システム。
【請求項５】
当該撮像システムは更に、
前記関心組織内のｘ線不透明物質及び故に前記画像形成可能な薬剤溶出性ビーズの分布を表す定量値を、前記スペクトル画像データに基づいて生成する物質分布定量化部
を有し、
当該撮像システムは、前記関心組織内の前記画像形成可能な薬剤溶出性ビーズの前記分布を表す前記定量値を表示する、請求項１乃至４の何れかに記載の撮像システム。
【請求項６】
当該撮像システムは更に、
前記関心組織内のｘ線不透明物質及び故に前記画像形成可能な薬剤溶出性ビーズの濃度を時間の関数として表す定量値を、前記スペクトル画像データに基づいて生成する物質濃度定量化部
を有し、
当該撮像システムは、前記関心組織内の前記画像形成可能な薬剤溶出性ビーズの前記濃度を表す前記定量値を表示する、請求項１乃至５の何れかに記載の撮像システム。
【請求項７】
前記分布を表す前記定量値若しくは前記濃度を表す前記定量値の少なくとも一方と、実際の投与量とを受信し、受信した定量情報を前記実際の投与量の情報と相関付け、且つ前記相関を指し示すデータを表示する決定支援システム、
を更に有する請求項５又は６に記載の撮像システム。
【請求項８】
前記決定支援システムは、前記分布を表す前記定量値若しくは前記濃度を表す前記定量値の少なくとも一方と、ドーズ計画とを受信し、受信した定量情報を前記ドーズ計画と比較し、且つ差異を指し示すデータを表示する、請求項７に記載の撮像システム。
【請求項９】
前記決定支援システムは、
前記定量値を評価し、それに基づいて前記画像形成可能な薬剤溶出性ビーズの手順に関する検証信号又は勧告信号の少なくとも一方を生成する勧告部
を有する、請求項７又は８に記載の撮像システム。
【請求項１０】
前記検証信号は、介入手順が成功であることを指し示す、請求項９に記載の撮像システム。
【請求項１１】
前記勧告信号は、介入手順が繰り返されるべきであることを指し示す、請求項９又は１０に記載の撮像システム。
【請求項１２】
関心組織と、前記関心組織内の画像形成可能な薬剤溶出性ビーズのｘ線不透明物質と、に対応するスペクトル画像データを生成し、且つ
前記スペクトル画像データを表示する、
ことを有する方法。
【請求項１３】
前記関心組織に対応するコンベンショナル画像データを生成し、且つ
前記スペクトル画像データを上に重ねて前記コンベンショナル画像データを表示する、
ことを更に有する請求項１２に記載の方法。
【請求項１４】
前記スペクトル画像データにおいて、前記コンベンショナル画像データにおいてよりも、前記画像形成可能な薬剤溶出性ビーズの顕著性が高い、請求項１３に記載の方法。
【請求項１５】
前記関心組織内の前記ｘ線不透明物質の造影剤分布及び故に前記画像形成可能な薬剤溶出性ビーズの造影剤分布を決定し、且つ
前記造影剤分布を前記スペクトル画像データとともに表示する、
ことを更に有する請求項１２乃至１４の何れかに記載の方法。
【請求項１６】
前記関心組織内の前記ｘ線不透明物質の造影剤濃度及び故に前記画像形成可能な薬剤溶出性ビーズの造影剤濃度を決定し、且つ
前記造影剤濃度を前記スペクトル画像データとともに表示する、
ことを更に有する請求項１２乃至１５の何れかに記載の方法。
【請求項１７】
ドーズ計画又は投与されたドーズの少なくとも一方に基づいて前記分布又は前記濃度の少なくとも一方を評価し、且つ
前記評価の結果に基づいて行動指針を生成して提示する、
ことを更に有する請求項１５又は１６に記載の方法。
【請求項１８】
ドーズ計画又は投与されたドーズの少なくとも一方に基づいて前記分布又は前記濃度の少なくとも一方を評価し、且つ
前記投与されたドーズの有効性を指し示す情報を生成して提示する、
ことを更に有する請求項１５乃至１７の何れかに記載の方法。
【請求項１９】
コンピュータ読み取り可能命令をエンコードしたコンピュータ読み取り可能記憶媒体であって、前記命令は、プロセッサによって実行されるときに前記プロセッサに、画像形成可能な薬剤溶出性ビーズのｘ線不透明物質に対応する定量的な情報を、造影剤のスペクトル画像データに基づいて生成させて表示させる、コンピュータ読み取り可能記憶媒体。
【請求項２０】
前記定量的な情報は、前記ｘ線不透明物質の濃度又は前記ｘ線不透明物質の分布の少なくとも一方を含む、請求項１９に記載のコンピュータ読み取り可能記憶媒体。
【請求項２１】
前記命令は、プロセッサによって実行されるときに前記プロセッサに更に、前記定量的な情報を手順計画と比較させ、且つ前記比較の結果に基づいて前記手順に関する行動指針を勧告させる、請求項１９又は２０に記載のコンピュータ読み取り可能記憶媒体。
【請求項２２】
前記行動指針は、より多くの画像形成可能な薬剤溶出性ビーズを投与することを含む、請求項２１に記載のコンピュータ読み取り可能記憶媒体。
【請求項２３】
前記比較は、前記手順が成功したことを指し示し、前記命令は、プロセッサによって実行されるときに前記プロセッサに更に、手順が成功したことを指し示す情報を提示させる、請求項２１に記載のコンピュータ読み取り可能記憶媒体。
【請求項２４】
前記命令は、プロセッサによって実行されるときに前記プロセッサに更に、前記定量的な情報を実際に投与されたドーズと相関付けさせる、請求項２１に記載のコンピュータ読み取り可能記憶媒体。
【請求項２５】
前記命令は、プロセッサによって実行されるときに前記プロセッサに更に、実際に投与されたドーズを用いて前記定量的な情報を校正させる、請求項２１に記載のコンピュータ読み取り可能記憶媒体。
【発明の詳細な説明】
【技術分野】
【０００１】
以下は、概して視覚化に関し、より具体的には画像形成可能な薬剤溶出性ビーズ（imageable  drug  eluting  beads；ｉ−ＤＥＢ）の視覚化に関し、特にコンピュータ断層撮影（ＣＴ）に適用して説明される。しかしながら、以下はまた、その他のスペクトル撮像モダリティにも適している。
【背景技術】
【０００２】
文献により示されていることには、肝癌は最も一般的な癌のうちの１つであり、世界で毎年５０万件の新たな症例の肝細胞癌（ＨＣＣ、原発性肝癌）と、毎年２０万件を超える新たな症例の肝臓支配の結腸直腸癌転移（二次肝癌）とを有する。治療の選択肢は限られており、中央生存期間が１年未満と、臨床転帰は概して乏しい。
【０００３】
肝癌（原発性及び転移）が、主として肝動脈によってもたらされ、概して肝臓内にとどめられることを所与として、肝動脈への直接的な薬物送達がこれらの患者の管理に有効であることが示されている。経カテーテル的動脈化学塞栓療法（transcatheter  arterial  chemoembolization；ＴＡＣＥ）は、カテーテルから肝動脈内に化学療法薬が送達されるｘ線撮像ガイド下での介入オンコロジー手順である。文献により示されていることには、レベルＩエビデンスレベルにより、患者がＴＡＣＥの後に、支持療法のみを受けている患者と比較して、より良い症状コントロールと、より長期の生存とを有することが実証されている（５年生存率が３％から２６％に上昇する）。この結果、ＴＡＣＥは中間期ＨＣＣ治療の主力となっている。
【０００４】
最近、化学療法薬送達システムに、コンベンショナル（conventional）なリピオドール−ドキソルビシン併用療法（ｃ−ＴＡＣＥ）から薬剤溶出性マイクロスフェア（微小球）ビーズ療法（ＤＥＢ−ＴＡＣＥ）への移行が見られている。文献により示されていることには、ＤＥＢは化学療法剤を再現可能に送達することができ、それにより、血漿内での無視できるレベルの化学療法（より少ない全身暴露）と、腫瘍部位での高められた効果（より多くの腫瘍致死）とをもたらす。これらの成功をよそに、ＤＥＢ−ＴＡＣＥは、特に、意図する最終的なＤＥＢ送達位置に関して、臨床経験に頼るところが大きいものである。
【０００５】
このことは、標準的な積分検出器型のｘ線システムの下で、ＤＥＢがｘ線透過性であることによって更に困ったことになる。すなわち、注入中の視覚化のためにｘ線造影剤がＤＥＢと外部混合されるが、これは、造影剤が移動するところがＤＥＢが進行するところでもあると仮定してのものである。この仮定は疑わしい。というのは、これら２つの物質の流体力学は全く異なっており（すなわち、固体に対して液体、異なる密度及び／又は体積、等々）、故に、分離して、ＤＥＢ進行及び沈着位置の誤ったフィードバックをもたらす傾向にある。これは、非標的薬物送達となって高い再発率（不完全な腫瘍致死又は不完全な治療による）を生じさせることになり得る。
【発明の概要】
【発明が解決しようとする課題】
【０００６】
最近、リピオドール又は造影剤のようなｘ線不透明な物質を詰め込まれたＤＥＢの開発が、文献により指し示されている。その研究はビーズの視認性を示したが、それは高濃度の画像形成可能ＤＥＢ（ｉ−ＤＥＢ）が静止して存在したところのみであり、実際の臨床使用を表すものではない。ｉ−ＤＥＢの視覚化の制約は、基本的に、ｘ線積分検出器である。すなわち、コンベンショナルな（従来型の）積分検出器は、物質を区別することができない。少なくとも以上に鑑み、ｉ−ＤＥＢを視覚化するためのその他の手法に対して、未解決のニーズが存在する。
【０００７】
ここに記載される態様は、上述及びその他の問題を解決するものである。
【課題を解決するための手段】
【０００８】
一態様において、撮像システムは、検査領域及びその中に配置された関心組織内の画像形成可能な薬剤溶出性ビーズを横断する放射線を放出する放射線源と、検査領域を横断した放射線を検出し、それを指し示す信号を生成するスペクトル検出器アレイと、前記信号を複数の閾値に基づいてスペクトル分解するスペクトル処理回路と、スペクトル分解された信号に基づいて、画像形成可能な薬剤溶出性ビーズに対応するスペクトルボリューム画像データを生成する再構成部とを含む。
【０００９】
他の一態様において、方法は、関心組織と関心組織内の画像形成可能な薬剤溶出性ビーズのｘ線不透明物質とに対応するスペクトル画像データを生成し、且つスペクトル画像データを表示することを含む。
【００１０】
他の一態様において、コンピュータ読み取り可能記憶媒体がコンピュータ読み取り可能命令でエンコードされる。コンピュータ読み取り可能命令は、プロセッサによって実行されるときに該プロセッサに、画像形成可能な薬剤溶出性ビーズのｘ線不透明物質に対応する定量的な情報を、造影剤のスペクトル画像データに基づいて生成させて表示させる。
【図面の簡単な説明】
【００１１】
本発明は、様々な構成要素及びその配置、並びに様々なステップ及びその編成の形態を取り得る。図面は、単に好適実施形態を例示するためのものであり、本発明を限定するものとして解釈されるべきではない。
【図１】画像誘導介入手順のために関心組織に対するｉ−ＤＥＢのｘ線不透明物質の分布及び／又は濃度を決定することを支援するスペクトル画像データ処理コンポーネントとともに、撮像システムの一例を模式的に示す図である。
【図２】画像誘導介入手順のために関心組織に対するｉ−ＤＥＢのｘ線不透明物質の分布及び／又は濃度を決定する方法の一例を示す図である。
【発明を実施するための形態】
【００１２】
以下、ｉ−ＤＥＢを視覚化するための非限定的な手法を説明する。簡潔さのため、以下では、フォトン計数スペクトル検出器を有するＣＴシステムとの関連で説明する。しかしながら、スペクトル撮像機能を備えたその他の撮像システムもここに企図される。概して、フォトン計数検出器は、物質組成に基づく区別可能なスペクトルデータを生成し、故に、ｉ−ＤＥＢに対応するスペクトル画像データスペクトルデータをそれから生成することができる。一例において、これは、画像データ内のｉ−ＤＥＢの顕著性を高めるだけでなく、関心組織内のｉ−ＤＥＢ濃度及び／又は分布を指し示す定量的データをも提供する。
【００１３】
図１は、例えばＣアームＣＴスキャナなどの撮像システム１００を模式的に示している。しかしながら、撮像システム１００は、これに代えて、スペクトルＣＴスキャナ又は蛍光透視（フルオロスコピー）ｘ線装置であってもよい。
【００１４】
このスキャナは静止部分１０２を含んでおり、静止部分１０２は、天井、壁、床、検査室内の概して静止した装置、検査室の中及び外へと容易に輸送されることが可能な、ホイール若しくはそれに類するものを備えた可搬式装置、等々に取り付けられることができる。
【００１５】
Ｃアーム１０４が、連結部１０６を介して旋回可能に静止部分１０２に結合され、所定の弧（例えば、少なくとも１８０°）にわたって旋回するように構成される。Ｃアーム１０４は、スキャンの前、最中及び／又は後に旋回されることができる。
【００１６】
Ｃアーム１０４の一端に放射線源１０８が結合され、Ｃアーム１０４の他端に感放射線検出器アレイ１１０が結合されている。放射線源１０８は検出器アレイ１１０から離隔されており、これらの間に検査領域１１２が形成される。線源１０８又は検出器１１０の少なくとも一方はまた、例えば、互いの方へ、且つ／或いはＣアーム１０４に沿ったスリーブ（軸ざや）内でずらされて、Ｃアーム１０４とは独立に移動し得る。
【００１７】
１つの好適な検出器アレイ１１０は、例えばフラットパネル検出器又はそれに類するものなどの２次元（２Ｄ）検出器アレイを含む。図示した実施形態において、検出器アレイ１１０は、例えば直接変換型検出器画素（例えば、ＣｄＴｅ、ＣｄＺｎＴｅなど）などのエネルギー分解検出器画素を含む。検出器アレイ１１０は、放射線を検出したことに応答して信号を生成する。
【００１８】
被検体サポート１１４が、検査領域１１２内の被検体を支持する。
【００１９】
パルス整形器１１６が、上記信号を処理して、検出されたフォトンのエネルギーを指し示すパルス、例えば電圧パルス又はその他のパルス、を生成する。認識されるように、検出器信号は、パルス整形器１１６によって処理される前に、増幅及び／又はその他の処理を施されてもよい。エネルギー弁別器１１８が、ｉ−ＤＥＢの造影物質のエネルギーを含む関心あるエネルギーに対応する少なくとも２つのエネルギー閾値（ＴＨ）１２２とパルスの振幅とを比較する比較器１２０を用いて、パルスをエネルギー弁別する。
【００２０】
比較器１２０は、この比較に基づいて、フォトンのエネルギーを指し示す出力信号を生成する。カウンタ１２４が、エネルギー弁別器１１８の出力に基づいて、各閾値に関する計数値をインクリメントする。それらの信号が瓶分け器１２６によってエネルギービニング（瓶分け）され、故に、カウントに基づいて、フォトンが２つ以上のエネルギーサブレンジ（部分範囲）又はエネルギーウィンドウへとビニングされる。ここでは、コンポーネント１１６−１２６を総称して検出器信号処理回路１２７と呼ぶ。
【００２１】
再構成部１２８が、コンベンショナル再構成アルゴリズム及び／又はスペクトル再構成アルゴリズムに基づいて、検出器アレイ１１０によって出力された信号を再構成して、ボリューム画像データを生成する。これは、例えばｉ−ＤＥＢのｘ線不透明物質に対応するエネルギー範囲といった、特定のエネルギー範囲に関する画像データ、及び／又はコンベンショナル画像データ（すなわち、非スペクトル撮像システム）を生成することを含み得る。
【００２２】
汎用コンピューティングシステムを含むコンソール１３０が、検査領域１１２に対して特定の角度方向までＣアーム１０４を旋回させること、線源１０８を活性化して放射線を放射すること、検出器アレイ１１０を動作させて放射線を検出すること、並びにスペクトル画像データ及び／又はコンベンショナル画像データを生成することを含め、撮像システム１００を制御する。
【００２３】
ディスプレイ１３２を用いて、少なくともスペクトル画像データ及び／又はコンベンショナル画像データの表示が行われる。例として、ｉ−ＤＥＢのスペクトル画像データをコンベンショナル画像データの上に重ねて表示することができる。一例において、コンベンショナル画像データが解剖学的な基準を提供する一方で、スペクトル画像が組織内のｉ−ＤＥＢの分布及び濃度を視覚的に示す。その他の情報もディスプレイ１３２を介して表示されることができる。
【００２４】
物質分布定量化部１３４が、スペクトル画像を受信し、スペクトル画像データに基づいて、ｘ線不透明物質ひいてはｉ−ＤＥＢの分布値を決定する。検出器信号が生成されて再構成ながらこのスペクトル画像データが処理されるとき、コンベンショナル画像データ及び／又はスペクトル画像データとともに上記分布値の表示及び／又はその他の提示を行うことができ、それにより、経時的に、撮像される組織内のｉ−ＤＥＢ分布についてのリアルタイムの定量的な情報を提供することができる。
【００２５】
物質濃度定量化部１３６もまた、スペクトル画像を受信し、スペクトル画像データに基づいて、ｘ線不透明物質ひいてはｉ−ＤＥＢの濃度値を決定する。検出器信号が生成されて再構成ながらこのスペクトル画像データが処理されるとき、コンベンショナル画像データ及び／又はスペクトル画像データとともに上記濃度値の表示及び／又はその他の提示を行うことができ、それにより、経時的に、撮像される組織内のｉ−ＤＥＢ濃度についてのリアルタイムの定量的な情報を提供することができる。
【００２６】
必要に応じての決定支援システム１３８が、ｉ−ＤＥＢの分布及び／又は濃度の情報を評価する。図示した決定支援システム１３８は、定量化された情報に基づいて検証信号を生成する検証部１４０を含んでいる。この検証信号は、介入手順が成功したか否か（例えば、介入手順の状況）を指し示す。検証信号は、介入手順を行う者による検討のために、ディスプレイ１３２を介して表示されることができ、且つ／或いはその他の方法で伝達されることができる。
【００２７】
図示した決定支援システム１３８はまた、定量化された情報に基づいて勧告信号を生成する勧告部（リコメンダ）１４２を含んでいる。この勧告信号は、介入手順が繰り返されるべきか否かを指し示す。勧告信号は、介入手順者による検討のために、ディスプレイ１３２を介して表示されることができ、且つ／或いはその他の方法で伝達されることができる。この情報は、介入手順を実行する臨床医によって利用されることができる。
【００２８】
図示した実施形態において、決定支援システム１３８は必要に応じて、スキャンされる患者に関するドーズ（投薬）計画１４４を受信する。決定支援システム１３８は、定量化された濃度及び／又は分布に基づいて計画１４４を評価し、それらの間の何らかの差を示す情報を生成して表示することができる。勧告部１４２は、このデータを解釈して、手順の有効性を指し示す情報を提示し、且つ／或いは行動指針及び／又は計画１４４への変更を提案することができる。
【００２９】
図示した実施形態において、決定支援システム１３８はまた必要に応じて、スキャンされる患者に送達された実際のドーズ（投薬）量１４６を受信する。決定支援システム１３８は、送達された実際のドーズ量に対して定量化された濃度及び／又は分布を相関付けること及び／又は校正することができる。同様に、勧告部１４２は、このデータを解釈して、手順の有効性を指し示す情報を提示し、且つ／或いは行動指針及び／又は計画１４４への変更を提案することができる。
【００３０】
この必要に応じての決定支援システム１３８は、システム１００の一部であってもよいし、システム１００から遠隔に配置された別個のコンピューティングシステムであってもよい。
【００３１】
認識されるように、スペクトル画像データは、コンベンショナル画像データよりも向上されたｉ−ＤＥＢの顕著性を提供し、また、ｉ−ＤＥＢの濃度及び／又は分布の定量分析を用いてｉ−ＤＥＢ送達の画像誘導フィードバックを提供することができる。このフィードバックは、どのような送達速度でどれだけのｉ−ＤＥＢを投与すべきかを臨床医が決定することを支援することができるとともに、送達を停止すべき時を指し示すインジケーションを提供することができる。これは、現行のｉ−ＤＥＢ送達方法を、定性的な２Ｄ撮像フィードバックから、ｉ−ＤＥＢ濃度及び／又は分布の立体的で定量的な測定へと進化させる助けとなり得る。
【００３２】
物質分布定量化部１３４、物質濃度定量化部１３６、及び決定支援システム１３８は、例えば物理的メモリ又はその他の非一時的媒体などのコンピュータ読み取り可能記憶媒体に格納あるいは埋込された１つ以上のコンピュータ読み取り可能命令を実行する１つ以上のプロセッサによって実装されることができる。加えて、あるいは代えて、これら１つ以上のプロセッサは、搬送波、信号及び／又はその他の一時的な媒体によって担持される１つ以上のコンピュータ読み取り可能命令を実行する。
【００３３】
図２は、非限定的な一方法を示している。
【００３４】
認識されるように、ここに記載される方法における動作の順序は限定的なものではない。従って、その他の順序もここに企図される。さらに、１つ以上の動作が削除されてもよく、且つ／或いは１つ以上の追加の動作が含められてもよい。
【００３５】
ステップ２０２にて、ｉ−ＤＥＢによって担持された化学療法剤で治療される関心組織が、ｉ−ＤＥＢの送達中に撮像される。
【００３６】
ステップ２０４にて、スペクトルデータが生成される。
【００３７】
ステップ２０６にて、スペクトル信号からコンベンショナル画像データが再構成される。
【００３８】
ステップ２０８にて、スペクトル信号からｉ−ＤＥＢのスペクトル画像データが再構成される。
【００３９】
ステップ２１０にて、必要に応じてコンベンショナル画像データの上に重ねて、ｉ−ＤＥＢのスペクトル画像データが表示され、それにより、視覚的なｉ−ＤＥＢ分布及び濃度の情報が提供される。
【００４０】
ステップ２１２にて、ｉ−ＤＥＢ分布の定量的な情報が、ｉ−ＤＥＢ画像データに基づいて決定され、スペクトル画像データ及びコンベンショナル画像データとともに表示される。
【００４１】
ステップ２１４にて、ｉ−ＤＥＢ濃度の定量的な情報が、ｉ−ＤＥＢ画像データに基づいて決定され、スペクトル画像データ及びコンベンショナル画像データとともに表示される。
【００４２】
ステップ２１６にて、必要に応じて、介入手順が成功であったかを指し示す信号、及び／又は介入手順が繰り返されるべきかを指し示す信号が生成されて提示され得る。
【００４３】
以上の事項のうちの少なくとも一部は、コンピュータ読み取り可能記憶媒体にエンコードあるいはエンベッドされて、コンピュータプロセッサによって実行されるときに該プロセッサに上述の動作を実行させるコンピュータ読み取り可能命令によって実装される。加えて、あるいは代えて、それらのコンピュータ読み取り可能命令のうちの少なくとも一部は、信号、搬送波、又はその他の一時的な媒体によって担持される。
【００４４】
好適実施形態を参照して本発明を説明した。以上の詳細な説明を読んで理解した者は変更及び変形に想到し得る。本発明は、添付の請求項の範囲又はその均等範囲に入る限り、全てのそのような変更及び変形を含むと解されるものである。
【図１】
2015515874.tif 000003
【図２】
2015515874.tif 000004
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
検査領域及びその中に配置された関心組織内のｘ線不透明造影剤を含有する画像形成可能な薬剤溶出性ビーズ、を横断する放射線を放出する放射線源であり、前記ｘ線不透明造影剤は第１のエネルギー依存物質組成を有し、前記関心組織は第２のエネルギー依存物質組成を有し、前記第１のエネルギー依存物質組成と前記第２のエネルギー依存物質組成とは異なる、放射線源と、
前記検査領域を横断した放射線を検出し、それを指し示す信号を生成するスペクトル検出器アレイと、
前記信号を、前記ｘ線不透明造影剤のエネルギーに対応する閾値を含む複数の閾値に基づいて、画像形成可能薬剤溶出性ビーズ成分と関心組織成分とにスペクトル分解するスペクトル処理回路と、
前記画像形成可能薬剤溶出性ビーズ成分を処理して、前記画像形成可能な薬剤溶出性ビーズに対応するスペクトルボリューム画像データを生成する再構成部と、
を有する撮像システム。
【請求項２】
当該撮像システムは更にディスプレイを有し、当該撮像システムは、前記ディスプレイを介して、前記画像形成可能な薬剤溶出性ビーズに対応する前記スペクトル画像データを表示する、請求項１に記載の撮像システム。
【請求項３】
前記再構成部は、前記信号に基づいて非スペクトル画像データを生成し、当該撮像システムは、前記スペクトル画像データを上に重ねて前記非スペクトル画像データを表示する、請求項２に記載の撮像システム。
【請求項４】
前記スペクトル画像データにおいて、前記非スペクトル画像データにおいてよりも、前記画像形成可能な薬剤溶出性ビーズの顕著性が高い、請求項３に記載の撮像システム。
【請求項５】
当該撮像システムは更に、
前記関心組織内のｘ線不透明物質及び故に前記画像形成可能な薬剤溶出性ビーズの分布を表す定量値を、前記スペクトル画像データに基づいて生成する物質分布定量化部
を有し、
当該撮像システムは、前記関心組織内の前記画像形成可能な薬剤溶出性ビーズの前記分布を表す前記定量値を表示する、請求項１乃至４の何れかに記載の撮像システム。
【請求項６】
当該撮像システムは更に、
前記関心組織内のｘ線不透明物質及び故に前記画像形成可能な薬剤溶出性ビーズの濃度を時間の関数として表す定量値を、前記スペクトル画像データに基づいて生成する物質濃度定量化部
を有し、
当該撮像システムは、前記関心組織内の前記画像形成可能な薬剤溶出性ビーズの前記濃度を表す前記定量値を表示する、請求項１乃至５の何れかに記載の撮像システム。
【請求項７】
前記分布を表す前記定量値若しくは前記濃度を表す前記定量値の少なくとも一方と、実際の投与量とを受信し、受信した定量情報を前記実際の投与量の情報と相関付け、且つ前記相関を指し示すデータを表示する決定支援システム、
を更に有する請求項５又は６に記載の撮像システム。
【請求項８】
前記決定支援システムは、前記分布を表す前記定量値若しくは前記濃度を表す前記定量値の少なくとも一方と、ドーズ計画とを受信し、受信した定量情報を前記ドーズ計画と比較し、且つ差異を指し示すデータを表示する、請求項７に記載の撮像システム。
【請求項９】
前記決定支援システムは、
前記定量値を評価し、それに基づいて画像形成可能薬剤溶出性ビーズ手順に関する検証信号又は勧告信号の少なくとも一方を生成する勧告部
を有する、請求項７又は８に記載の撮像システム。
【請求項１０】
前記検証信号は、介入手順が成功であることを指し示す、請求項９に記載の撮像システム。
【請求項１１】
前記勧告信号は、介入手順が繰り返されるべきであることを指し示す、請求項９又は１０に記載の撮像システム。
【請求項１２】
検査領域を横断した放射線を検出するスペクトル検出器アレイにて放射線を受け、前記放射線は、前記検査領域に配置された関心組織内のｘ線不透明造影剤を含有する画像形成可能な薬剤溶出性ビーズを横断した放射線を含み、
前記ｘ線不透明造影剤は第１のエネルギー依存物質組成を有し、前記関心組織は第２のエネルギー依存物質組成を有し、前記第１のエネルギー依存物質組成と前記第２のエネルギー依存物質組成とは異なり、
前記スペクトル検出器アレイにより、前記第１のエネルギーに対応する投影と前記第２のエネルギーに対応する投影とを含むスペクトル投影データを生成し、
前記スペクトル投影データを、前記ｘ線不透明造影剤のエネルギーに対応する閾値を含む複数の閾値に基づいて、画像形成可能薬剤溶出性ビーズ成分と関心組織成分とにスペクトル分解し、
前記関心組織と、前記関心組織内の前記画像形成可能な薬剤溶出性ビーズの前記ｘ線不透明造影剤と、に対応するスペクトル画像データを生成し、且つ
前記スペクトル画像データを表示する、
ことを有する方法。
【請求項１３】
前記関心組織内の前記ｘ線不透明造影剤及び故に前記画像形成可能な薬剤溶出性ビーズの造影剤分布を決定し、且つ前記造影剤分布を前記スペクトル画像データとともに表示すること、又は
前記関心組織内の前記ｘ線不透明造影剤及び故に前記画像形成可能な薬剤溶出性ビーズの造影剤濃度を決定し、且つ前記造影剤濃度を前記スペクトル画像データとともに表示すること、
の少なくとも一方を更に有する請求項１２に記載の方法。
【請求項１４】
ドーズ計画又は投与されたドーズの少なくとも一方に基づいて前記分布又は前記濃度の少なくとも一方を評価し、且つ
前記評価の結果に基づいて行動指針を生成して提示する、
ことを更に有する請求項１３に記載の方法。
【請求項１５】
ドーズ計画又は投与されたドーズの少なくとも一方に基づいて前記分布又は前記濃度の少なくとも一方を評価し、且つ
前記投与されたドーズの有効性を指し示す情報を生成して提示する、
ことを更に有する請求項１３又は１４に記載の方法。
【国際調査報告】
2015515874.tif 000005
2015515874.tif 000006
2015515874.tif 000007